(57)【要約】【課題】記録条件を求める際に使用する領域の開始位置の検出率を高める。【解決手段】本発明のデータを記録するためのデータ記録領域と、記録条件情報を記録するための学習領域とを備える情報記録媒体は、前記学習領域は、記録条件情報が記録された学習使用済領域と、記録条件情報が記録されていない学習未使用領域と、前記学習使用済領域と前記学習未使用領域との境界を判別する判別情報を記録するための境界領域とを含み、前記境界領域は、前記学習使用済領域と前記学習未使用領域との間にある。【選択図】図１
2007073185.tif 000002
【特許請求の範囲】
【請求項１】
データを記録するためのデータ記録領域と、
記録条件情報を記録するための学習領域と
を備える情報記録媒体であって、
前記学習領域は、
記録条件情報が記録された学習使用済領域と、
記録条件情報が記録されていない学習未使用領域と、
前記学習使用済領域と前記学習未使用領域との境界を判別する判別情報を記録するための境界領域とを含み、
前記境界領域は、前記学習使用済領域と前記学習未使用領域との間にある、情報記録媒体。
【請求項２】
前記記録条件情報の再生状態に基づいて求められる記録条件は、前記情報記録媒体を装着し得る情報記録再生装置が前記データを記録する際の前記情報記録再生装置の動作条件を規定する、請求項１に記載の情報記録媒体。
【請求項３】
前記情報記録媒体は追記型の情報記録媒体である、請求項１に記載の情報記録媒体。
【請求項４】
前記判別情報は、複数のマークと複数のスペースとを含む、請求項１に記載の情報記録媒体。
【請求項５】
前記複数のマークのうちの最長マークと前記複数のスペースのうちの最長スペースとからなる最長パターンに対応する信号の振幅の大きさと振幅の最大値との比が所定の値以上である、請求項４に記載の情報記録媒体。
【請求項６】
前記所定の値は０．５である、請求項５に記載の情報記録媒体。
【請求項７】
前記信号が少なくとも４フレーム連続している、請求項５に記載の情報記録媒体。
【請求項８】
前記境界領域は、少なくとも１つのセクタから構成される、請求項１に記載の情報記録媒体。
【請求項９】
前記複数のマークは、前記記録条件情報のうちの最適な記録条件情報として記録される、請求項４に記載の情報記録媒体。
【請求項１０】
前記学習領域は、前記境界領域のダミーとして認識されるダミー情報を記録するための複数のダミー領域をさらに含み、
前記境界領域と前記複数のダミー領域との両方の領域うちの隣接する２つの領域の間隔は所定値以下である、請求項１に記載の情報記録媒体。
【請求項１１】
前記所定値は３２セクタである、請求項１０に記載の情報記録媒体。
【請求項１２】
データを記録するためのデータ記録領域と、記録条件情報を記録するための学習領域とを備えた情報記録媒体のための情報記録再生方法であって、
前記情報記録再生方法は、
（ｅ）前記記録条件情報を前記学習領域の一部に記録するステップと、
（ｆ）前記学習領域の一部に記録された前記記録条件情報の再生状態に基づいて、最適な記録条件を求めるステップと
を包含し、
前記記録条件情報を記録した学習使用済領域のうちの前記記録条件情報が記録されていない学習未使用領域と接する領域に記録された記録条件情報が、前記学習使用済領域と前記学習未使用領域との境界を判別する判別情報として機能する、情報記録再生方法。
【請求項１３】
前記記録条件情報の再生状態に基づいて求められる記録条件は、前記情報記録媒体を装着し得る情報記録再生装置が前記データを記録する際の前記情報記録再生装置の動作条件を規定する、請求項１２に記載の情報記録再生方法。
【請求項１４】
前記ステップ（ｅ）は、前記学習領域のうちの前記記録条件情報が記録された領域と前記学習領域のうちの前記記録条件情報が記録されていない領域との境界を検出して、前記境界から前記記録条件情報が記録されていない領域の方へ前記記録条件情報を記録するステップを包含する、請求項１２に記載の情報記録再生方法。
【請求項１５】
前記情報記録媒体は、記録条件を記録するための記録条件格納領域をさらに含み、
前記ステップ（ｅ）は、前記記録条件格納領域に記録された記録条件に基づいて前記記録条件情報を記録するステップを包含する、請求項１２に記載の情報記録再生方法。
【請求項１６】
前記ステップ（ｅ）は、前記記録条件格納領域に記録された記録条件を、前記学習使用済領域のうちの前記学習未使用領域と接する領域に記録するステップをさらに包含する、請求項１５に記載の情報記録再生方法。
【請求項１７】
データを記録するためのデータ記録領域と、記録条件情報を記録するための学習領域とを備えた情報記録媒体のための情報記録再生装置であって、
前記情報記録再生装置は、
前記記録条件情報を前記学習領域の一部に記録する記録制御部と、
前記学習領域の一部に記録された前記記録条件情報の再生状態に基づいて、最適な記録条件を求める記録学習情報処理部と
を備え、
前記記録条件情報を記録した学習使用済領域のうちの前記記録条件情報が記録されていない学習未使用領域と接する領域に記録された記録条件情報が、前記学習使用済領域と前記学習未使用領域との境界を判別する判別情報として機能する、情報記録再生装置。
【請求項１８】
前記記録条件情報の再生状態に基づいて求められる記録条件は、前記情報記録再生装置が前記データを記録する際の前記情報記録再生装置の動作条件を規定する、請求項１７に記載の情報記録再生装置。
【請求項１９】
前記記録学習情報処理部は、前記学習領域のうちの前記記録条件情報が記録された領域と前記学習領域のうちの前記記録条件情報が記録されていない領域との境界を検出し、前記記録制御部は、前記境界から前記記録条件情報が記録されていない領域の方へ前記記録条件情報を記録する、請求項１７に記載の情報記録再生装置。
【請求項２０】
前記情報記録媒体は、記録条件を記録するための記録条件格納領域をさらに含み、
前記記録制御部は、前記記録条件格納領域に記録された記録条件に基づいて前記記録条件情報を記録する、請求項１７に記載の情報記録再生装置。
【請求項２１】
前記記録制御部は、前記記録条件格納領域に記録された記録条件を、前記学習使用済領域のうちの前記学習未使用領域と接する領域に記録する、請求項２０に記載の情報記録再生装置。
【発明の詳細な説明】
【技術分野】
【０００１】
本発明は、情報記録媒体、情報記録再生方法及び情報記録再生装置に関する。特に、記録条件情報を記録する学習領域に、学習使用済領域と学習未使用領域との境界を判別する判別情報を記録する、情報記録媒体、情報記録再生方法及び情報記録再生装置に関する。
【背景技術】
【０００２】
円盤状の情報記録媒体として光ディスクが知られている。近年、光ディスクの高密度化、大容量化が進んでおり、光ディスクの信頼性を確保することが重要になっている。この信頼性を確保するため、光ディスク装置は、装着された光ディスクに対して記録する際に利用する記録条件を求める学習処理を行っている。学習処理としては、たとえば、光ディスクに照射される半導体レーザーの最適な記録パワー条件を求める記録パワー学習がある。
【０００３】
以下、光ディスクの構成および従来の記録パワー学習について説明する。
【０００４】
図１３は、一般的なディスク媒体の構成図である。ディスク媒体は、ＤＶＤ−ＲまたはＤＶＤ−ＲＷなどの記録可能な光ディスクでありえる。円盤状の光ディスク１３０１には、同心円状またはスパイラル状に、多数のトラック１３０２が形成されており、各トラック１３０２には細かく分けられた多数のセクタ１３０３が形成されている。また、光ディスク１３０１の領域は、記録情報領域１３０４とディスク情報領域１３０５、１３０７とデータ記録領域１３０６とに大別される。
【０００５】
記録情報領域１３０４は、光ディスク１３０１へ記録を行うための情報が格納されている。ディスク情報領域１３０５、１３０７は、ディスクをアクセスするのに必要なパラメータが格納されている。ディスク情報領域１３０５はリードイン、ディスク情報領域１３０７はリードアウトとも呼ばれる。データの記録再生はデータ記録領域１３０６に対して行われる。
【０００６】
図１４は図１３で示す記録情報領域１３０４の構成図である。記録情報領域１３０４はディスク情報領域１３０５（リードイン）の内周に位置する。記録情報領域１３０４は、記録パワー学習などを行う際に利用する学習領域１４０１（ＰＣＡ：Ｐｏｗｅｒ  Ｃａｌｉｂｒａｔｉｏｎ  Ａｒｅａ）と、学習領域１４０１で求めた記録パワー値やディスクの記録状態に関する情報などを格納する記録情報管理領域１４０２（以下、ＲＭＡ：Ｒｅｃｏｒｄｉｎｇ  Ｍａｎａｇｅｍｅｎｔ  Ａｒｅａ）を含む。例えば、ＤＶＤ−Ｒの場合、図１４に示されるように、記録情報領域１３０４の内周側に学習領域１４０１が配置され、外周側にＲＭＡ１４０２が配置される。ただし、すべての光ディスクの構成がこれに限定されるわけではない。
【０００７】
図１５は、誤り訂正符号の計算単位であるＥＣＣブロックと、ディスク上に記録されるセクタとの関係を示すＥＣＣブロックとセクタの構成図である。より大容量のＤＶＤでは、高い誤り訂正能力と低い冗長度を両立させるために、１つのＥＣＣブロックは１６セクタから構成される。但し、この図では便宜上、４つのセクタからＥＣＣブロックが構成されるとする。
【０００８】
図１５（ａ）は、ＥＣＣブロックの構成図である。ＥＣＣブロックは、１７２バイト×４８行にメインデータを配置し、その１行毎に（横方向に）誤り訂正符号を計算した内符号パリティＰＩと、その１列毎に（縦方向に）誤り訂正符号を計算した外符号パリティＰＯとで構成される。
【０００９】
内符号パリティと外符号パリティを持つものは、一般的に積符号と呼ばれる。積符号は、ランダムエラーとバーストエラー（局所的に集中した誤り）の両方に強い誤り訂正方式である。
【００１０】
たとえば、ランダムエラーに加えて、引っ掻き傷で２行分のバーストエラーが発生した場合を考えてみる。バーストエラーは、外符号からみれば殆どが２バイト誤りなので訂正できる。ランダムエラーが多く存在した列は、外符号で訂正できずに誤りが残るが、この残った誤りは内符号によって大抵の場合訂正できる。内符号によっても誤りが残ったとしても、再び外符号で訂正すれば、さらに誤りを減らすことができる。
【００１１】
ＤＶＤでは、このような積符号を採用したことによって、パリティの冗長度を抑えながら、十分な訂正能力が実現されている。言い換えれば、パリティの冗長度を抑えた分、ユーザデータの容量を高めることができている。
【００１２】
図１５（ｂ）は、セクタの構成図である。ＥＣＣブロックの外符号パリティを１行ずつ各セクタへ均等に配分している。その結果、１つの記録セクタは、１８２バイト×１３行のデータから構成される。
【００１３】
以下の説明において、ブロックとは、上述したＥＣＣブロックを意味する。
【００１４】
次に、記録パワー学習について説明する。
【００１５】
記録パワー学習は、光ディスク装置に光ディスクを装着した後、光ディスクに対して記録を行う前、あるいは、温度変化などの要因により光ディスクの特性、または、光ディスク装置の特性が所定以上に変化するたびに行われる。
【００１６】
また、この記録パワー学習は、学習領域で記録・再生を行うことによって最適な記録パワー条件を求める。光ディスク装置は、装着された光ディスクの学習領域以外の領域に対し、この記録パワー学習で求められた記録パワー条件を用いて記録処理を行う。
【００１７】
次に、記録パワー学習における学習領域の利用方法について図を用いて説明する。
【００１８】
ＤＶＤ−Ｒの場合、学習領域は７０８８セクタからなり、その内、光ディスク装置が利用可能な記録パワー学習用の領域は６８３２セクタ存在する。また、ＲＭＡはＥＣＣ単位で記録が行われ、７０１ブロックで構成される。
【００１９】
このＲＭＡには、学習領域のうちの記録パワー学習で記録された領域（以下、学習使用済領域）と記録パワー学習が行われていない未記録領域（以下、学習未使用領域）との境界に関する境界情報が格納されている。しかし、ＲＭＡを更新するタイミングはデータ記録領域１３０６への記録に同期することが多いため、ＲＭＡに格納されている境界情報が必ずしも最新のものとは限らない。また、ＲＭＡに格納される境界情報はＥＣＣブロック単位であるため、例えば、記録パワー学習を１セクタ単位で行なう場合、ＲＭＡに格納される境界情報が正確な境界位置を示す可能性は低い。したがって、学習使用済領域と学習未使用領域との境界を直接検出することが必要となる。
【００２０】
一般に、学習使用済領域と学習未使用領域との境界を直接検出する手段としてＲＦ振幅検出処理部が使用されている。ＲＦ振幅検出処理部は、再生信号の振幅（ＲＦ振幅）の大きさに基づいて、学習使用済領域と学習未使用領域との境界を判定する機能を有する。
【００２１】
図１６は、学習領域１６０３で行われる従来の記録パワー学習における、学習領域１６０３の構成と記録パワーの変化の一例を示す。
【００２２】
学習領域１６０３は外周側からセクタ単位で使用される。たとえば、１回の記録パワー学習において、外周に位置するセクタから順にセクタ毎に記録パワーを変化させながら、記録パワー条件情報を記録する。なお、図１６では、５つの記録パワー条件を有する記録パワー条件情報を学習領域１６０３の５つのセクタに記録している。
【００２３】
その後、記録した記録パワー条件情報を再生し、再生時の状態が最適な記録パワー条件を記録パワー学習の結果として求める。記録パワー学習によって求めた最適な記録パワー条件を以降の記録時に利用する。
【００２４】
学習領域１６０３の一部が既に使用済みである場合、すなわち、学習領域１６０３の一部が学習使用済領域１６０２である場合、ＲＦ振幅検出処理部が、学習使用済領域１６０２と学習未使用領域１６０１との境界を検出して、その境界から学習未使用領域１６０１に対して記録パワー学習を行う。このように記録パワー学習を行なうことで、学習未使用領域１６０１は学習使用済領域１６０２に変更される。
【００２５】
次に、ＣＤ−ＷＯにおける学習領域の使用方法について説明する。
【００２６】
ＣＤ−ＷＯの記録フォーマットは「オレンジ・ブック」と呼ばれている。
【００２７】
図１７は、従来のＣＤ−ＷＯにおける学習領域１７０３の構成を示す。図１７において、学習領域１７０３は記録パワー学習を行うテストエリア１７０１と、テストエリア１７０１の使用状態を示すカウントエリア１７０２とで構成される。
【００２８】
ＣＤ−ＷＯでは、たとえば、記録パワー学習でテストエリア１７０１の１セクタを使用する毎に、カウントエリア１７０２も１セクタずつ記録する。この場合、カウンタエリア１７０２に記録されるテストエリア１７０１の使用状態を検出することによって、テストエリア１７０１の学習未使用領域１７０１Ａと学習使用済領域１７０１Ｂとの境界を判別することができる。
【発明の開示】
【発明が解決しようとする課題】
【００２９】
図１６に示されるような従来の記録パワー学習では、１回の記録パワー学習における記録パワー条件情報の記録パワーは、学習領域１６０３の外周から内周にかけて順に減少している。
【００３０】
学習領域１６０３にこのような記録パワー条件情報を記録する場合、学習未使用領域１６０１と学習使用済領域１６０２との境界の領域に記録する際の記録パワーが小さくなる。したがって、ＲＦ振幅検出処理部は学習使用済領域と学習未使用領域との境界を正しく検出することができなくなる。次に記録パワー学習を行なう際に、ＲＦ振幅検出処理部が学習使用済領域と学習未使用領域との境界ではなく学習使用済領域の途中を境界として誤って検出すると、記録パワー学習の記録が２重書きとなり、記録パワー学習の精度が落ちてしまう。
【００３１】
一方、図１７に示される従来のＣＤ−ＷＯにおける学習領域１７０３では、カウントエリア１７０２を用いるため、１度の記録パワー学習でテストエリア１７０１の複数のセクタを消費すると、カウントエリア１７０２の複数のセクタも消費してしまう。
【００３２】
本発明は、上記問題点に鑑みてなされたものであり、学習使用済領域と学習未使用領域との境界を明確に判別すること、及び、１度の記録条件学習で消費する学習領域の領域を減らすことを可能にする情報記録媒体、情報記録再生方法、及び、情報記録再生装置を提供することを目的とする。
【課題を解決するための手段】
【００３３】
本発明の情報記録媒体は、データを記録するためのデータ記録領域と、記録条件情報を記録するための学習領域とを備える情報記録媒体であって、前記学習領域は、記録条件情報が記録された学習使用済領域と、記録条件情報が記録されていない学習未使用領域と、前記学習使用済領域と前記学習未使用領域との境界を判別する判別情報を記録するための境界領域とを含み、前記境界領域は、前記学習使用済領域と前記学習未使用領域との間にある。
【００３４】
前記記録条件情報の再生状態に基づいて求められる記録条件は、前記情報記録媒体を装着し得る情報記録再生装置が前記データを記録する際の前記情報記録再生装置の動作条件を規定してもよい。
【００３５】
前記情報記録媒体は追記型の情報記録媒体であってもよい。
【００３６】
前記判別情報は、複数のマークと複数のスペースとを含んでもよい。
【００３７】
前記複数のマークのうちの最長マークと前記複数のスペースのうちの最長スペースとからなる最長パターンに対応する信号の振幅の大きさと振幅の最大値との比が所定の値以上であってもよい。
【００３８】
前記所定の値は０．５であってもよい。
【００３９】
前記信号が少なくとも４フレーム連続していてもよい。
【００４０】
前記境界領域は、少なくとも１つのセクタから構成されてもよい。
【００４１】
前記複数のマークは、前記記録条件情報のうちの最適な記録条件情報として記録されてもよい。
【００４２】
前記学習領域は、前記境界領域のダミーとして認識されるダミー情報を記録するための複数のダミー領域をさらに含み、前記境界領域と前記複数のダミー領域との両方の領域うちの隣接する２つの領域の間隔は所定値以下であってもよい。
【００４３】
前記所定値は３２セクタであってもよい。
【００４４】
データを記録するためのデータ記録領域と、記録条件情報を記録するための学習領域とを備えた情報記録媒体のための情報記録再生方法は、（ａ）前記学習領域の一部に前記記録条件情報を記録するステップと、（ｂ）前記学習領域の一部に記録された前記記録条件情報の再生状態に基づいて、最適な記録条件を求めるステップと、（ｃ）前記学習領域のうちの前記記録条件情報が記録された学習使用済領域と前記学習領域のうちの前記記録条件情報が記録されていない学習未使用領域との境界を判別する判別情報を、前記学習使用済領域と前記学習未使用領域との間に位置する境界領域に記録するステップとを包含する。
【００４５】
前記記録条件情報の再生状態に基づいて求められる記録条件は、前記情報記録媒体を装着し得る情報記録再生装置が前記データを記録する際の前記情報記録再生装置の動作条件を規定してもよい。
【００４６】
前記ステップ（ａ）は、前記学習領域のうちの前記記録条件情報が記録された領域と前記学習領域のうちの前記記録条件情報が記録されていない領域との境界を検出して、前記境界から前記記録条件情報が記録されていない領域の方へ前記記録条件情報を記録するステップを包含してもよい。
【００４７】
前記ステップ（ｃ）は、前記最適な記録条件に基づいて前記判別情報を記録するステップを包含してもよい。
【００４８】
前記ステップ（ｃ）は、前記ステップ（ｂ）において最適な記録条件を求めた第１の判断基準とは異なる第２の判断基準に基づいて記録条件を求めることが可能な情報を前記判別情報として記録するステップを包含してもよい。
【００４９】
（ｄ）前記境界領域に記録された判別情報が前記第２の判断基準に基づいて適切かどうか判定するステップをさらに包含してもよい。
【００５０】
データを記録するためのデータ記録領域と、記録条件情報を記録するための学習領域とを備えた情報記録媒体のための情報記録再生方法は、（ｅ）前記記録条件情報を前記学習領域の一部に記録するステップと、（ｆ）前記学習領域の一部に記録された前記記録条件情報の再生状態に基づいて、最適な記録条件を求めるステップとを包含し、前記記録条件情報を記録した学習使用済領域のうちの前記記録条件情報が記録されていない学習未使用領域と接する領域に記録された記録条件情報が、前記学習使用済領域と前記学習未使用領域との境界を判別する判別情報として機能する。
【００５１】
前記記録条件情報の再生状態に基づいて求められる記録条件は、前記情報記録媒体を装着し得る情報記録再生装置が前記データを記録する際の前記情報記録再生装置の動作条件を規定してもよい。
【００５２】
前記ステップ（ｅ）は、前記学習領域のうちの前記記録条件情報が記録された領域と前記学習領域のうちの前記記録条件情報が記録されていない領域との境界を検出して、前記境界から前記記録条件情報が記録されていない領域の方へ前記記録条件情報を記録するステップを包含してもよい。
【００５３】
前記情報記録媒体は、記録条件を記録するための記録条件格納領域をさらに含み、前記ステップ（ｅ）は、前記記録条件格納領域に記録された記録条件に基づいて前記記録条件情報を記録するステップを包含してもよい。
【００５４】
前記ステップ（ｅ）は、前記記録条件格納領域に記録された記録条件を、前記学習使用済領域のうちの前記学習未使用領域と接する領域に記録するステップをさらに包含してもよい。
【００５５】
データを記録するためのデータ記録領域と、記録条件情報を記録するための学習領域とを備えた情報記録媒体のための情報記録再生方法は、（ｇ）前記学習領域の一部に前記記録条件情報を記録するステップと、（ｈ）前記学習領域の一部に記録された前記記録条件情報の再生状態に基づいて、最適な記録条件を求めるステップと、（ｉ）前記学習領域のうちの前記記録条件情報を記録した学習使用済領域内の前記記録条件情報を記録していない学習未使用領域と接する領域に記録された記録条件情報が、前記学習使用済領域と前記学習未使用領域との境界を判別する判別情報として機能するかどうか判定するステップとを包含する。
【００５６】
前記記録条件情報の再生状態に基づいて求められる記録条件は、前記情報記録媒体を装着し得る情報記録再生装置が前記データを記録する際の前記情報記録再生装置の動作条件を規定してもよい。
【００５７】
前記ステップ（ｇ）は、前記学習領域のうちの前記記録条件情報が記録された領域と前記学習領域のうちの前記記録条件情報が記録されていない領域との境界を検出して、前記境界から前記記録条件情報が記録されていない領域の方へ前記記録条件情報を記録するステップを包含してもよい。
（ｊ）前記学習使用済領域内の前記学習未使用領域と接する領域に記録された記録条件情報が前記判別情報として機能しないと判定される場合、前記学習使用済領域と前記学習未使用領域との境界から前記学習未使用領域の方へと前記判別情報を記録するステップをさらに包含してもよい。
【００５８】
前記情報記録媒体は、記録条件を記録するための記録条件格納領域をさらに含んでもよい。
【００５９】
前記ステップ（ｉ）は、前記記録条件格納領域に記録された記録条件に基づいて前記判別情報を記録するステップを包含してもよい。
【００６０】
前記ステップ（ｇ）は、前記記録条件格納領域に記録された記録条件に基づいて前記記録条件情報を記録するステップを包含してもよい。
【００６１】
データを記録するためのデータ記録領域と、記録条件情報を記録するための学習領域とを備えた情報記録媒体のための情報記録再生装置は、前記学習領域の一部に前記記録条件情報を記録する記録制御部と、前記学習領域の一部に記録された前記記録条件情報の再生状態に基づいて、最適な記録条件を求める記録学習情報処理部と、を備え、前記記録制御部は、前記学習領域のうちの前記記録条件情報が記録された学習使用済領域と前記学習領域のうちの前記記録条件情報が記録されていない学習未使用領域との境界を判別する判別情報を、前記学習使用済領域と前記学習未使用領域との間に位置する境界領域に記録する。
【００６２】
前記記録条件情報の再生状態に基づいて求められる記録条件は、前記情報記録再生装置が前記データを記録する際の前記情報記録再生装置の動作条件を規定してもよい。
【００６３】
前記記録学習情報処理部は、前記学習領域のうちの前記記録条件情報が記録された領域と前記学習領域のうちの前記記録条件情報が記録されていない領域との境界を検出し、前記記録制御部は、前記境界から前記記録条件情報が記録されていない領域の方へ前記記録条件情報を記録してもよい。
【００６４】
前記記録制御部は、前記最適な記録条件に基づいて前記判別情報を記録してもよい。
【００６５】
前記記録制御部は、前記記録学習情報処理部によって求めた最適な記録条件の第１の判断基準とは異なる第２の判断基準に基づいて記録条件を求めることが可能な情報を前記判別情報として記録してもよい。
【００６６】
前記記録学習情報処理部は、前記境界領域に記録された判別情報が前記第２の判断基準に基づいて適切かどうか判定してもよい。
【００６７】
データを記録するためのデータ記録領域と、記録条件情報を記録するための学習領域とを備えた情報記録媒体のための情報記録再生装置は、前記記録条件情報を前記学習領域の一部に記録する記録制御部と、前記学習領域の一部に記録された前記記録条件情報の再生状態に基づいて、最適な記録条件を求める記録学習情報処理部とを備え、前記記録条件情報を記録した学習使用済領域のうちの前記記録条件情報が記録されていない学習未使用領域と接する領域に記録された記録条件情報が、前記学習使用済領域と前記学習未使用領域との境界を判別する判別情報として機能する。
【００６８】
前記記録条件情報の再生状態に基づいて求められる記録条件は、前記情報記録再生装置が前記データを記録する際の前記情報記録再生装置の動作条件を規定してもよい。
【００６９】
前記記録学習情報処理部は、前記学習領域のうちの前記記録条件情報が記録された領域と前記学習領域のうちの前記記録条件情報が記録されていない領域との境界を検出し、前記記録制御部は、前記境界から前記記録条件情報が記録されていない領域の方へ前記記録条件情報を記録してもよい。
【００７０】
前記情報記録媒体は、記録条件を記録するための記録条件格納領域をさらに含み、前記記録制御部は、前記記録条件格納領域に記録された記録条件に基づいて前記記録条件情報を記録してもよい。
【００７１】
前記記録制御部は、前記記録条件格納領域に記録された記録条件を、前記学習使用済領域のうちの前記学習未使用領域と接する領域に記録してもよい。
【００７２】
データを記録するためのデータ記録領域と、記録条件情報を記録するための学習領域とを備えた情報記録媒体のための情報記録再生装置は、前記学習領域の一部に前記記録条件情報を記録する記録制御部と、前記学習領域の一部に記録された前記記録条件情報の再生状態に基づいて、最適な記録条件を求め、前記学習領域のうちの前記記録条件情報を記録した学習使用済領域内の前記記録条件情報を記録していない学習未使用領域と接する領域に記録された記録条件情報が、前記学習使用済領域と前記学習未使用領域との境界を判別する判別情報として機能するかどうか判定する記録学習情報処理部とを備える。
【００７３】
前記記録条件情報の再生状態に基づいて求められる記録条件は、前記情報記録再生装置が前記データを記録する際の前記情報記録再生装置の動作条件を規定してもよい。
【００７４】
前記記録学習情報処理部は、前記学習領域のうちの前記記録条件情報が記録された領域と前記学習領域のうちの前記記録条件情報が記録されていない領域との境界を検出し、前記記録制御部は、前記境界から前記記録条件情報が記録されていない領域の方へ前記記録条件情報を記録してもよい。
【００７５】
前記記録学習情報処理部が、前記学習使用済領域内の前記学習未使用領域と接する領域に記録された記録条件情報が前記判別情報として機能しないと判定する場合、前記記録制御部は、前記学習使用済領域と前記学習未使用領域との境界から前記学習未使用領域の方へと前記判別情報を記録してもよい。
【００７６】
前記情報記録媒体は、記録条件を記録するための記録条件格納領域をさらに含んでもよい。
【００７７】
前記記録制御部は、前記記録条件格納領域に記録された記録条件に基づいて前記判別情報を記録してもよい。
【００７８】
前記記録制御部は、前記記録条件格納領域に記録された記録条件に基づいて前記記録条件情報を記録してもよい。
【発明の効果】
【００７９】
本発明の情報記録媒体によれば、学習使用済領域と学習未使用領域の間に境界領域を設け、その境界領域にＲＦ振幅による学習未使用領域と判別可能な判別情報を記録する。判別情報は、記録パワー学習により求められた記録パワー条件を利用してもよい。これにより、次回の記録パワー学習を行う際、学習未使用領域と学習使用済領域の境界に対するＲＦ振幅検出機能の検出率を高めることが可能になる。さらに、１度の記録パワー学習における学習領域の消費する領域を減少することが可能となり、学習領域で実行可能な記録パワー学習の回数を増やすことが可能になる。
【００８０】
本発明の情報記録再生方法によれば、記録パワー学習で求めた記録パワー値を用いて境界領域を記録することにより、学習使用済領域と学習未使用領域との境界に対するＲＦ振幅検出機能の検出率を高めることを可能とする。
【００８１】
本発明の情報記録再生方法によれば、記録パワー学習で利用する学習領域のうち学習未使用領域に最も近い領域を最も信頼できる過去の記録パワー学習結果を利用して記録することで、学習使用済領域と学習未使用領域との境界に対するＲＦ振幅検出機能の検出率を高めることが可能になる。さらに、１度の記録パワー学習における学習領域の消費を減少することが可能となり、記録パワー学習の実行回数が減少することを防ぐことができる。または、過去の記録パワー学習結果が判別情報として適切かどうか判定し、適切でない場合にのみ、判別情報を記録してもよい。判別情報として適切な場合、判別情報を記録するための境界領域を設ける必要がなく、学習領域を有効に使用することができる。
【００８２】
本発明の情報記録再生方法によれば、記録パワー学習で利用した判断基準とは異なる判断基準を用いて、境界領域で記録パワー学習で求めた記録パワーの判定を行うことにより、記録パワー学習で求めた記録パワー値の信頼性を高めることが可能になる。
【００８３】
本発明の情報記録再生方法によれば、記録パワー学習でＲＦ振幅による学習未使用領域と判別可能な信号を記録し、その記録パワー学習で記録した領域に対し、ＲＦ振幅検出が可能か判定し、可能であれば境界領域を記録しないことにより、１度の記録パワー学習における学習領域の消費を減少することが可能となり、記録パワー学習の実行回数が減少するのを防ぐことができる。
【発明を実施するための最良の形態】
【００８４】
以下、図面を参照しながら本発明の実施の形態を説明する。
【００８５】
本発明の情報記録媒体を装着し得る情報記録再生装置は、学習領域において記録学習処理を実行することにより記録条件を求める。ある実施形態において、その記録条件は情報記録媒体に記録される。情報記録媒体に記録された記録条件は、次回の学習処理が実行される際に読み出され、新たな記録条件を求めるために利用され得る。
【００８６】
ここで、記録条件とは、光ディスク装置が光ディスクに情報を記録する際の光ディスク装置の動作条件をいう。記録条件は、記録条件情報の再生状態に基づいて求められる。
【００８７】
記録条件は、光ディスクに照射されるレーザパルスに関するパルス条件を含む。
【００８８】
あるいは、記録条件は、情報記録再生装置に含まれる各種回路の設定値またはその設定値を示すコード情報であってもよい。
【００８９】
（実施の形態１）
実施の形態１では、ＲＦ振幅検出処理部によって学習使用済領域と学習未使用領域との境界を明確に判別され、１度の記録条件学習で消費する学習領域を減らすことを可能とする情報記録媒体が提供される。
【００９０】
図１は、本発明の実施の形態１における学習領域１０４の構成と、記録パワー条件情報を記録する際の記録パワーの変化を示す。学習領域１０４の一部に記録パワーを変化させながら、記録パワー条件情報を記録する。
【００９１】
学習領域１０４は、記録パワー条件情報を記録した学習使用済領域１０３と、記録パワー条件情報を記録していない学習未使用領域１０１と、学習使用済領域１０３と学習未使用領域１０１との境界を判別する判別情報を記録するための境界領域１０２とを含む。境界領域１０２は、学習使用済領域１０３と学習未使用領域１０１との間に位置する。
【００９２】
境界領域１０２に記録された判別情報を再生した信号は、学習未使用領域１０１を同様に再生した信号と判別可能である。判別情報を再生した信号の振幅（ＲＦ振幅）と学習未使用領域１０１を再生した信号の振幅とがＲＦ振幅検出処理部によって判別可能であるように判別情報は記録される。
【００９３】
図１では、学習領域１０４の外周側から内周にかけて記録パワー条件情報が記録されている。一般にデータ記録領域１３０６は学習領域１０４の外周側に設けられる。記録パワー学習を行なう領域は、記録パワー条件を用いて記録を行なうデータ記録領域１３０６と近い方が望ましいため、学習領域１０４は外周側から使用する。
【００９４】
以下に、光ディスクの構造と光ディスクから再生される信号との関係を説明し、その後、境界領域１０２と学習未使用領域１０１とを判別可能にする判別情報の具体例を説明する。
【００９５】
図１５（ｂ）に示すセクタ構成のデータ構造は、図２に示すように、縦に２分割されて９１バイト×２×１３行のデータに分けられる。２分割された各データ（９１バイト）の先頭に２バイトのフレーム同期信号（ＳＹＮＣ）を付加した９３バイトの構成をフレームと呼ぶ。すなわち、１行は２フレームを構成し、１セクタは２６フレームを構成する。
【００９６】
図３は、フレームの具体的な構成を説明する図である。図３に示されるように、フレームは、光ディスク上のデータの最小単位である複数のマーク３０２（例えば、マーク３０２ａ、マーク３０２ｂ）と、複数のマーク３０２の間に位置するスペース３０１（例えば、スペース３０１ａ、スペース３０１ｂ）とを含む。
【００９７】
図３では、ＤＶＤにおける最短マーク長である３Ｔマーク３０２ａと、最長マーク長である１４Ｔマーク３０２ｂとを示す。マークとマークとの間をスペースと呼び、スペースの長さもマークと同様に、最短スペースは３Ｔスペース３０１ａであり、最長スペースは１４Ｔスペース３０１ｂである。ここで、Ｔは記録情報の１ビットに対応する長さを示す。
【００９８】
図４は、光ディスクからの再生信号の波形パターン（ＲＦ波形パターン）を示す。
【００９９】
Ｉ１４Ｈは、最長パターン（１４Ｔマークと１４Ｔスペースからなる）の再生信号の振幅（ＲＦ振幅）の最大値を示す。Ｉ１４Ｌは最長パターンのＲＦ振幅の最小値を示す。Ｉ１４は、最長パターンのＲＦ振幅の大きさ（Ｉ１４Ｈ−Ｉ１４Ｌ）を示す。
【０１００】
一方、Ｉ３Ｈは最短パターン（３Ｔマークと３Ｔスペースからなる）のＲＦ振幅の最大値を示す。Ｉ３Ｌは最短パターンのＲＦ振幅の最小値を示す。Ｉ３は、最短パターンのＲＦ振幅の大きさ（Ｉ３Ｈ−Ｉ３Ｌ）を示す。
【０１０１】
境界領域１０２に記録される情報が以下の２つの条件を満たす場合、境界領域１０２から再生される信号は、学習未使用領域１０１から再生される信号と判別可能である。
【０１０２】
第１の条件は、情報記録媒体に記録され得るマークの中で最も大きな振幅を有する特定のマークからの信号の振幅の大きさとその信号の振幅の最大値との比が所定の値以上であることである。
【０１０３】
第２の条件は、上記第１の条件を満たす信号が所定数以上連続することである。
【０１０４】
さらに具体的に示す。ＤＶＤにおいて記録され得るマークの中で信号が最も大きな振幅を有する特定のマークは最長パターン（１４Ｔマークと１４Ｔスペース）の１４Ｔマークである。したがって、第１の条件は、最長パターン（１４Ｔマークと１４Ｔスペース）に対応する信号の振幅の大きさ（Ｉ１４）とその信号の振幅の最大値（Ｉ１４Ｈ）との比（Ｉ１４／Ｉ１４Ｈ）が所定の値以上であることである。所定の値は０．５であってもよい。すなわち、第１の条件は、Ｉ１４／Ｉ１４Ｈ≧０．５であってもよい。
【０１０５】
第２の条件は、上記第１の条件を満たす信号が少なくとも４フレーム連続することである。
【０１０６】
このような条件を満たす判別情報が、境界領域１０２に記録される。
【０１０７】
なお、Ｉ１４／Ｉ１４Ｈの比は、記録パワー条件および記録パルス条件を含む記録条件などによって変化し得ることに留意されたい。
【０１０８】
また、境界領域には、直前の学習使用済領域で行なった記録パワー学習で求めた最適な記録パワー条件に基づいて判別情報を記録してもよい。一般に最適な記録パワー条件を利用して記録した判別情報を再生した際の信号は、学習未使用領域１０１を再生した信号と判別可能である。ＲＦ振幅検出処理部の検出可能範囲を最適な記録パワー条件近傍に設定することで、最適な記録パワー条件を使って記録した情報は、判別情報として機能する。
【０１０９】
本実施の形態では、学習使用済領域と学習未使用領域との間に境界領域を配置し、記録パワー学習で求められた最適な記録パワー条件を用いてＲＦ振幅による学習未使用領域と判別可能な判別情報を境界領域に記録する。その結果、次に記録パワー学習を行う際、ＲＦ振幅検出処理部による学習使用済領域と学習未使用領域との境界の検出率を高めることができる。したがって、次に記録パワー学習を行う際に、学習使用済領域を誤って記録パワー学習に用いてしまい、記録パワーを不適切に決定してしまうような記録パワー学習の失敗を防ぐことができる。
【０１１０】
図１では、記録パワー条件情報は１セクタ毎に記録される。また、判別情報を１セクタからなる境界領域１０２に記録する。
【０１１１】
このように、１度の記録パワー学習で複数のセクタを使用した場合でも、境界領域は１セクタでよい。そのため、１度の記録パワー学習における学習領域の消費セクタ数を減少することが可能である。その結果、学習領域で実行可能な記録パワー学習の回数の減少を防ぐことが可能になる。
【０１１２】
なお、上記説明では、境界領域は１セクタにより構成されたが、実施の形態１はこれに限定されない。境界領域は、例えば、複数のセクタより構成されてもよい。または、境界領域は、１セクタの一部、例えば、ＲＦ振幅検出処理部に判別可能な最短の長さである４フレームにより構成されてもよい。
【０１１３】
なお、上記説明では、記録パワー学習はセクタ単位に記録パワーを変化させて行なったが、実施の形態１はこれに限定されない。例えば、セクタを構成するフレーム単位で記録パワーを変化させてもよい。
【０１１４】
なお、実施の形態１で用いる境界領域に記録する判別情報は、単一周期のデータ、または、６Ｔ〜１４Ｔのマークとスペースとを組み合わせた特定パターンでもよい。あるいは、境界領域に記録された判別情報を再生した信号は、ランダム関数から発生させたランダムデータを８−１６変調した信号、または、ＨＦ信号振幅の規格であるＩ１４／Ｉ１４Ｈ≧０．６の関係を満たす信号であってもよい。
【０１１５】
なお、図１では学習領域の外周側から記録パワー学習を行なっているが、実施の形態１はそれに限定されない。たとえば、学習領域の内周側より記録パワー学習を行ってもよい。
【０１１６】
なお、上記では、記録条件学習の一例として記録パワー学習を、記録条件情報の一例として記録パワー条件情報を説明している。しかし、実施の形態１は、記録パワー学習に限定されるものではない。たとえば、記録パルス条件を求める記録パルス学習に適用してもよい。
【０１１７】
なお、上記では、境界領域に記録パワー学習で求めた最適な記録パワー条件を利用して判別情報を記録する例を説明したが、本実施形態はそれに限定されるものではない。境界領域は、学習未使用領域と判別可能であればよい。
【０１１８】
（実施の形態２）
実施の形態２では、実施の形態１で説明した情報記録媒体に記録再生する情報記録再生方法、及び、情報記録再生装置が提供される。
【０１１９】
図５は、本発明の実施の形態２におけるディスク記録再生ドライブ５００の構成を示すブロック図である。以下、ディスク記録再生ドライブ５００によって記録再生されるディスクを追記型ディスクとして説明する。
【０１２０】
ディスク記録再生ドライブ５００は、上位制御装置（一般的にはホストコンピュータが相当する）とＩ／Ｏバス５７０を介して接続される。また、ディスク記録再生ドライブ５００は、上位制御装置からの命令を処理する命令処理部５１０と、追記型ディスクへの記録時の制御を行う記録制御部５２０と、追記型ディスクからの再生時の制御を行う再生制御部５３０と、ＲＭＡまたはリードインに記録された情報を格納するディスク情報格納バッファ５４０と、記録及び再生データを一時的に格納するデータバッファ５５０と、ＲＦ振幅検出機能または記録パワー学習の制御を行う記録学習情報処理部５６０を機能的に備えている。
【０１２１】
記録学習情報処理部５６０は、ＲＦ振幅検出機能の制御を行うＲＦ振幅検出処理部５６１と、記録パワー学習の制御を行う記録パワー学習処理部５６２を備える。
【０１２２】
図６は、本発明の実施の形態２における記録パワー学習のフローチャートを示す。この記録パワー学習は、図５に示すディスク記録再生ドライブ５００の記録制御部５２０と、ＲＦ振幅検出処理部５６１、及び、記録パワー学習処理部５６２によって実行される。
【０１２３】
命令処理部５１０を通して記録コマンドを受信した記録制御部５２０は、記録するデータをデータバッファ５５０に格納し、記録処理を中断する（ステップ６０１）。次に、ＲＦ振幅検出処理部５６１は、学習使用済領域と学習未使用領域との間にある境界領域の検出を行い、記録パワー学習で利用する領域の開始セクタを求める（ステップ６０２）。記録パワー学習処理部５６２は、求めた開始セクタより、セクタ毎に記録パワーを変化させながら記録パワー条件情報を記録して記録パワー学習を行い、最適な記録パワー条件を求める（ステップ６０３）。次に、この記録パワー学習で求めた記録パワー条件を設定する（ステップ６０４）。記録パワー学習で使用した領域（学習使用済領域）の次の１セクタを境界領域として、この境界領域にＲＦ振幅による学習未使用領域と判別可能な判別情報を記録する（ステップ６０５）。
【０１２４】
このように、記録パワー学習で求めた記録パワー条件（例えば、記録パワー値）を用いて境界領域を記録する。その結果、学習使用済領域と学習未使用領域との境界に対するＲＦ振幅検出処理部の検出率を高めることが可能となる。したがって、次の記録パワー学習時に学習使用済領域を誤って記録パワー学習に用いてしまい、記録パワーを不適切に決定するような記録パワー学習の失敗を防ぐことが可能になる。
【０１２５】
なお、上記では、記録処理や再生処理を追記型ディスクへ行う例を説明したが、実施の形態２はそれに限定されない。たとえば、書換型ディスクに対して記録処理や再生処理を行なってもよい。
【０１２６】
なお、上記の説明では境界領域は１セクタで構成されるとしたが、実施の形態２はこれに限定されない。たとえば、複数のセクタより構成されてもよいし、１セクタの一部により構成されてもよい。
【０１２７】
なお、上記の説明では、記録パワー学習はセクタ単位で記録パワーを変化させるとしたが、実施の形態２はこれに限定されない。たとえば、セクタを構成するフレーム単位で記録パワーを変化させてもよい。また、１度の記録パワー学習で１以上のＥＣＣブロックを使用する場合、記録パワー学習で使用したＥＣＣブロックを構成するセクタのうち、記録パワー学習で使用していないＥＣＣブロックと隣接するセクタを境界領域とすることで、学習使用済領域の管理をＥＣＣ単位で行ってもよい。
【０１２８】
なお、実施の形態２で用いる境界領域に記録された判別情報は、単一周期のデータ、または、６Ｔ〜１４Ｔのマークとスペースの組み合わせた特定パターンでもよい。あるいは、境界領域に記録された判別情報を再生した信号は、ランダム関数から発生させたランダムデータを８−１６変調した信号、または、ＨＦ信号振幅の規格であるＩ１４／Ｉ１４Ｈ≧０．６の関係を満たす信号でもよい。
【０１２９】
なお、上記説明では、記録条件学習の一例として、記録パワー学習を説明したが、実施の形態２は記録パワー学習に限定するものではない。たとえば、記録パルス条件を求める記録パルス学習に適応してもよい。
【０１３０】
（実施の形態３）
実施の形態３では、実施の形態１で示した情報記録媒体に対し、ＲＦ振幅検出処理部による学習使用済領域と学習未使用領域との境界領域の検出を行ない、学習使用済領域と学習未使用領域とを判別する情報記録再生方法、および、情報記録再生装置が提供される。本実施の形態による情報記録媒体により、検出時における境界の誤検出を防ぐことができる。
【０１３１】
実施の形態１で説明したように、境界領域は学習未使用領域に接するように配置される。以下、学習領域は外周側から内周に順に使用されると仮定する。
【０１３２】
以下、ＲＦ振幅検出処理部を用いて境界領域を検出する場合を考える。学習領域の最内周から検出を行なう場合、ＲＦ振幅が所定以上連続して検出された領域を境界領域と判定する。しかし、この方法では、学習領域をあまり利用していない場合、すなわち、学習領域全体のうち学習未使用領域の割合が多い場合、学習領域全体のほとんどを検出することが必要となる。その結果、境界領域を検出するのに多くの時間がかかる。
【０１３３】
また、学習領域の外周から学習未使用領域を検出するまで再生信号の検出を行なう場合、ＲＦ振幅によって検出できない程度の記録パワーを使って記録された領域が所定の長さ以上連続すると、その領域を学習未使用領域と誤検出してしまう可能性がある。その場合、記録パワー学習の精度に多大な影響を与えてしまう。
【０１３４】
したがって、実施の形態３では、記録パワー学習で記録する際、所定の領域以内に１ヵ所ずつ、学習未使用領域と判別可能な信号を記録することで、上述の問題を解決する。
【０１３５】
図７Ａは、実施形態３における学習使用済領域と学習未使用領域との境界を検出するフローチャートを示す。境界の検出は、ＲＦ振幅検出処理部５６１によって行なわれる。なお、図７Ａでは、学習領域を外周側から使用すると仮定する。
【０１３６】
記録パワー学習を行なう際に、ＲＦ振幅検出処理部５６１は、ＲＭＡに記録されている境界に関する情報を取得する（ステップ７０１）。その後、ＲＭＡに記録されている境界に関する情報が示す位置から学習領域の内周側の所定の領域、例えば、３２セクタを検出する（ステップ７０２）。なお、ステップ７０２において検出される領域は、ＲＭＡに記録されている境界に関する情報が示す位置を含んでもよい。ステップ７０２における検出の結果、内周側に、例えば、１セクタ以上連続した未記録領域があるかどうか判定する（ステップ７０３）。
【０１３７】
１セクタ以上連続した未記録領域はないと判定された場合、すなわち、ステップ７０２で検出された領域のうち、少なくとも内周側の１セクタが記録済領域であると判定された場合（ステップ７０３でＮｏ）、さらに内周の３２セクタを検出する（ステップ７０４）。ステップ７０４において、内周の３２セクタを検出した後、ステップ７０４で検出された３２セクタが未記録領域であるかどうか判定するために、再度ステップ７０３へ戻る。
【０１３８】
内周側に１セクタ以上連続した未記録領域があると判定された場合、すなわち、ステップ７０２で検出した領域に未記録領域と記録済領域との境界があると判定された場合（ステップ７０３でＹｅｓ）、続けて３２セクタ内周を検出する（ステップ７０５）。検出の結果、ステップ７０５で検出された３２セクタの全てが未記録領域と判定された場合（ステップ７０６でＹｅｓ）、ステップ７０３で判定された未記録領域と記録済領域との境界を、学習使用済領域と学習未使用領域との境界として判定する（ステップ７０７）。ステップ７０５で検出された３２セクタの内、１ヵ所でも記録済領域として判定されると（ステップ７０６でＮｏ）、さらに内周に記録済領域がある可能性があるため、再度ステップ７０３へ戻る。
【０１３９】
このような学習使用済領域と学習未使用領域との境界の検出を行なう場合、少なくとも所定の領域（上記説明において、具体的には、３２セクタ）以内に１ヵ所、ＲＦ振幅による学習未使用領域と判別可能な情報が記録されていることにより、確実に境界領域の検出を行なうことが可能になり、学習領域が使用される外周側からの検出を行なうことが可能であるので、検出の時間短縮を図ることができる。
【０１４０】
また、学習領域の学習使用済領域において、少なくとも所定の領域以内に１ヵ所、境界領域のダミーとして認識されるダミー情報をダミー領域に記録してもよい。
【０１４１】
図７Ｂは、本発明の実施の形態３における学習領域７１４の構成と、その領域を再生した際の再生信号の振幅の大きさの変化を示す。学習領域７１４は、学習未使用領域７１１と、学習使用済領域７１３と、学習未使用領域７１１と学習使用済領域７１３との間に位置する境界領域７１２とを含む。図７Ｂでは、記録パワー条件情報が外周側から学習使用済領域７１３に記録されている。境界領域７１２は、学習未使用領域７１１と学習使用済領域７１３との境界を判別する判別情報を記録する。複数のダミー領域７１７は、ＲＦ振幅検出処理部によって境界領域７１２のダミーとして認識されるダミー情報を記録する。隣接するダミー領域７１７、または、ダミー領域７１７と境界領域７１２との間の間隔は所定値（例えば、３２セクタ）以下である。図７Ｂにおいて、説明を明瞭にするために、学習使用済領域７１３の再生信号の振幅は、ダミー領域７１７を除き、検出可能な範囲以下に示しているが、これに限定されるものではない。
【０１４２】
この場合、学習使用済領域７１３内にＲＦ振幅によって検出できない記録パワーが記録された領域が多く存在しても、その領域を学習未使用領域と誤検出してしまうことを防ぐことができる。ダミー領域に記録されるダミー情報は、ＲＦ振幅検出処理部にとって、判別情報と等価な情報であればよい。
【０１４３】
このように、学習領域内に、ダミー領域７１７および境界領域７１２を設けることで、情報記録媒体の学習使用済領域７１３の誤検出を防ぐことができる。
【０１４４】
なお、上記説明は、検出を３２セクタ単位で行なうとしたが、実施の形態３はこれに限定されない。例えば、１度に行なう検出セクタの数を増やしてもよいし、あるいは、ステップ７０２、ステップ７０４の検出セクタ数を増やすことで、早く見当をつけ、ステップ７０５の検出で詳細に検出を行なうようにしてもよい。
【０１４５】
なお、上記では、外周側から順に内周に向けて検出を行なう例を説明したが、実施の形態３はこれに限定されない。例えば、ＲＭＡに記録される境界の位置と最内周の間を２分岐検索などを利用して検出することで学習領域のほとんどが利用されている場合においても、境界領域の検出時間を短縮することが可能になる。
【０１４６】
なお、上述の説明では、検出をセクタ単位で行なうとしたが、実施の形態３はこれに限定されない。例えば、ＲＦ振幅に判別可能な最短の長さである４フレーム単位で行なうようにしてもよい。
【０１４７】
なお、上述の説明では記録パワー学習を実行する例を説明したが、実施の形態３は、これに限定されない。例えば、記録パルス条件を求める記録パルス学習に適用してもよい。
【０１４８】
（実施の形態４）
実施の形態４では、ディスクに格納された記録パワーに関する情報を利用して、学習未使用領域に隣接する学習使用済領域をその記録パワーで記録する情報記録再生方法、及び、情報記録再生装置が提供される。実施の形態４では、記録条件情報が学習使用済領域と学習未使用領域との境界を判別する判別情報として機能する。または、記録条件情報が判別情報として機能しないと判定される場合、学習使用済領域と学習未使用領域との境界に判別情報を記録するための境界領域を設ける。
【０１４９】
本発明の実施の形態４におけるディスク記録再生ドライブの構成を示すブロック図は図５であり、実施の形態２で説明済みなので割愛する。
【０１５０】
図８は、本発明の実施の形態４における学習領域８０３の構成と、各セクタを記録する際の記録パワーの変化を示す。学習領域８０３は、記録パワー学習で利用された学習使用済領域８０２と、記録パワー学習で利用されていない学習未使用領域８０１とを含む。
【０１５１】
図９Ａは、本発明の実施の形態４における記録パワー学習のフローチャートを示す。この記録パワー学習は、図５に示すディスク記録再生ドライブ５００の記録制御部５２０と、再生制御部５３０と、ＲＦ振幅検出処理部５６１、及び、記録パワー学習処理部５６２によって実行される。ここで、以下の記載において、最も信頼できる記録パワー値は最適な記録パワー条件であり、学習使用済領域と学習未使用領域との境界を検出する判別情報として機能すると仮定する。
【０１５２】
記録パワー学習を実行する前に、再生制御部５３０はディスクに格納された過去に行った記録パワー学習の学習結果に関する情報をＲＭＡより取得し、ディスク情報格納バッファ５４０に格納する。記録パワー学習制御部５６２は、ディスク情報格納バッファに格納された情報より最も信頼できる記録パワー値を選択する（以下、選択した記録パワー値をＰｏ［ｍＷ］とする）（ステップ９０１）。次に、ＲＦ振幅検出処理部５６１は、学習使用済領域と学習未使用領域の境界の検出を行い、記録パワー学習で利用する領域の開始セクタを求める（ステップ９０２）。次に、記録パワー学習処理部５６２は、求めた開始セクタより順に、（Ｐｏ−２）［ｍＷ］、（Ｐｏ−１）［ｍＷ］、（Ｐｏ＋２）［ｍＷ］、（Ｐｏ＋１）［ｍＷ］、Ｐｏ［ｍＷ］の記録パワー値を用いセクタ単位で順に記録パワー条件情報を記録する（ステップ９０３〜ステップ９０７）。最後に、各セクタの記録パワー条件情報を再生し、再生状態が最も良いセクタに対応した記録パワー値を学習結果として採用し（ステップ９０８）、記録パワー学習は完了する。
【０１５３】
このように、記録パワー学習で利用する学習領域のうち学習未使用領域に隣接するセクタを最も信頼できる過去の記録パワー学習結果を利用して記録することにより、学習使用済領域と学習未使用領域との境界に対するＲＦ振幅検出処理部の検出率を高めることができる。すなわち、最も信頼できる過去の記録パワー学習結果が判別情報として機能する。したがって、実施の形態１で示した境界領域が不要となるため、１度の記録パワー学習における学習領域の消費を減らすことができ、その結果、記録パワー学習の実行回数を増やすことが可能となる。
【０１５４】
なお、上記では、記録パワー学習はセクタ単位で記録パワーを変化させる例を説明したが、実施の形態４はこれに限定されない。たとえば、記録パワーはセクタを構成するフレーム単位でパワーを変化させてもよい。
【０１５５】
なお、上記では、記録パワー値をセクタ単位にパワーを１［ｍＷ］単位で変化させる例を説明したが、実施の形態４はこれに限定されない。たとえば、記録パワー値を０．５［ｍＷ］単位で変化させてもよい。また、記録パワー値の変化の仕方も上記の例に限定されるものではない。
【０１５６】
なお、上記では、最も信頼できる記録パワー値をＲＭＡより取得するとしたが、実施の形態４はこれに限定されない。たとえば、ＬＰＰ（Ｌａｎｄ  Ｐｒｅ−Ｐｉｔ）には、そのディスクを製造したメーカーが定めたそのディスクに適した記録パワー値が格納されているので、その情報を利用してもよい。
【０１５７】
以上の説明では、最も信頼できる記録パワー値は最適な記録パワー条件であり、学習使用済領域と学習未使用領域との境界を検出する判別情報として機能すると仮定してきた。しかし、ＲＭＡに記録された記録パワー値が、最適な記録パワー条件であるかどうかが決定されていない場合もあり得る。
【０１５８】
図９Ｂは、本発明の実施の形態４の変形例における記録パワー学習のフローチャートを示す。ステップ９０１〜９０８までは図９Ａと同様であるので、説明を割愛する。ステップ９１９において、ＲＭＡに記録された記録パワー値で記録された記録パワー条件情報をＲＦ検出することが可能かどうか判定する。ＲＭＡに記録された記録パワー値で記録された記録パワー条件情報をＲＦ検出することが不可能と判定される場合（ステップ９１９でＮｏ）、学習使用済領域と学習未使用領域の間に境界領域を設け、その記録パワー学習の結果を利用してＲＦ振幅による学習未使用領域と判別可能な判別情報を記録する（ステップ９２０）。ＲＭＡに記録された記録パワー値で記録された記録パワー条件情報をＲＦ検出することが可能であると判定される場合（ステップ９１９でＹｅｓ）、記録パワー学習は完了する。これにより、次の記録条件学習時に境界を検出する可能性を高めることができる。
【０１５９】
なお、図８では記録パワー学習を行なうための記録パワー条件情報を学習領域８０３の外周側から記録しているが、本実施の形態はそれに限定されない。たとえば、学習領域の内周側より記録パワー学習を行うようにしてもよい。
【０１６０】
なお、上記では、記録パワー学習を実行する例を説明したが、実施の形態４は、記録パワー学習に限定されるものではない。たとえば、記録パルス条件を求める記録パルス学習に適用してもよい。
【０１６１】
なお、上記では、ＲＭＡに記録された記録パワー値で記録された記録パワー条件情報をＲＦ検出することが可能かどうかの判定に基づいて境界領域を記録したがこれに限定されない。例えば、ステップ９１９における判定の基準は、ＲＭＡに記録された記録パワー値と、ステップ９０８で求めた最適な記録パワー値とが等しいかどうかの判定に基づいて境界領域を記録してもよい。
【０１６２】
（実施の形態５）
実施の形態５では、実施の形態１で説明した情報記録媒体に記録再生する情報記録再生方法、及び、情報記録再生装置が提供される。実施の形態５では、最適な記録条件を求めた第１の判断基準とは異なる第２の判断基準に基づいて記録条件を求めることが可能な情報を前記判別情報として記録する。
【０１６３】
本発明の実施の形態５におけるディスク記録再生ドライブの構成を示すブロック図は図５であり、実施の形態２で説明済みなので割愛する。
【０１６４】
図１０は、本発明の実施の形態５における記録パワー学習のフローチャートを示す。この記録パワー学習は、図５に示すディスク記録再生ドライブ５００の記録制御部５２０と、再生制御部５３０と、ＲＦ振幅検出処理部５６１、及び、記録パワー学習処理部５６２によって実行される。また、記録パワー学習処理部５６２において最適な記録パワーを選択する判断基準は、ＢＥＲ（Ｂｙｔｅ  Ｅｒｒｏｒ  Ｒａｔｅ）、再生信号と源信号との時間的なずれを示すジッター、および再生信号の非対称性を示すアシンメトリを含む。
【０１６５】
ステップ１００１からステップ１００２は図６に示されたステップ６０１からステップ６０２と同じである。したがって、説明を割愛する。
【０１６６】
記録パワー学習処理部５６２は、求めた開始セクタより記録パワー学習を行い、第１の判断基準であるアシンメトリを利用して最適な記録パワー値を選択する（ステップ１００３）。次に、この記録パワー学習で求めた記録パワー値を設定し（ステップ１００４）、記録パワー学習で使用した領域（学習使用済領域）の次の１セクタを境界領域として、この領域にＲＦ振幅によって学習未使用領域と判別可能であり、かつ、第２の判断基準であるＢＥＲ測定が可能な判別情報を境界領域に記録する。（ステップ１００５）。次に、この境界領域に記録された判別情報をＢＥＲによって測定することにより、記録パワー学習で求めた記録パワーがＢＥＲに対しても最適であることかどうか判定する（ステップ１００６）。
【０１６７】
このように、記録パワー学習で利用した第１の判断基準以外とは異なる第２の判断基準に適した信号を境界領域に判別情報として記録パワー学習で求めた記録パワー値で記録し、その記録状態を判定することにより、記録パワー学習で求めた記録パワー値の信頼性を高めることができる。
【０１６８】
なお、上記では、境界領域は１セクタより構成されるとしたが、実施の形態５はこれに限定されない。たとえば、境界領域は複数のセクタより構成されてもよいし、または、１セクタの一部により構成されてもよい。
【０１６９】
なお、実施の形態５では、記録パワー学習はセクタ単位で記録パワーを変化させるとしたがこの限りではない。たとえば、セクタを構成するフレーム単位でパワーを変化させてもよい。
【０１７０】
なお、上記では、第１の判断基準としてアシンメトリを利用して記録パワー学習を行い、境界領域では第２の判断基準であるＢＥＲに関して判定を行なうが、実施の形態５はこれに限定されない。たとえば、第１の判断基準としてＢＥＲを利用して記録パワー学習を行い、境界領域では第２の判断基準であるジッターに関して判定を行うなどとしてもよい。また、境界領域に対し記録パワー学習と同じ判断基準を用いて再度判定を行うようにしてもよい。
【０１７１】
なお、上記では、記録条件学習の一例として記録パワー学習を実行したが、実施の形態５は記録パワー学習に限定されるものではない。たとえば、記録パルス条件を求める記録パルス学習に適応してもよい。
【０１７２】
なお、最後に、学習未使用領域に隣接する境界領域に記録される記録条件情報が判別情報として機能するかどうかを判定してもよい。機能しないと判定される場合には、その内周側に境界領域を記録してもよい。これにより、次の記録条件学習時に境界領域を検出する可能性を高めることができる。
【０１７３】
なお、最後に最内周の領域が境界領域として適切かどうかを判定し、不適切な場合は、その内周側に境界領域を記録するようにしてもよい。これにより、次の記録パワー学習時に境界領域を検出する可能性を高めることができる。
【０１７４】
（実施の形態６）
実施の形態６では、学習未使用領域に隣接し、かつ、記録パワー学習で記録した領域の記録状態により判別情報を記録するかどうか判定を行う情報記録再生方法、及び、情報記録再生装置が提供される。
【０１７５】
本発明の実施の形態６におけるディスク記録再生ドライブの構成を示すブロック図は図５であり、実施の形態２で説明済みなので割愛する。
【０１７６】
図１１は、本発明の実施の形態６における学習領域１１０３の構成と、各セクタを記録する際の記録パワーの変化と、その記録した信号を再生した際の再生信号振幅の変化を示す。学習領域１１０３は、記録パワー学習で利用された学習使用済領域１１０２と、記録パワー学習で利用されていない学習未使用領域１１０１を含む。
【０１７７】
図１２は、本発明の実施の形態６における記録パワー学習のフローチャートを示す。この記録パワー学習は、図５に示すディスク記録再生ドライブ５００の記録制御部５２０と、再生制御部５３０と、ＲＦ振幅検出処理部５６１、及び、記録パワー学習処理部５６２によって実行される。
【０１７８】
ステップ１２０１からステップ１２０２は図６に示されたステップ６０１からステップ６０２と同じである。したがって、説明を割愛する。
【０１７９】
記録パワー学習処理部５６２は、求めた開始セクタより１セクタの領域に対し、たとえば、セクタを構成するフレーム単位で記録パワーを上げるように変化させる記録パワー学習を行い、最適な記録パワー値を選択する（ステップ１２０３）。その記録パワー学習では、ＲＦ振幅による学習未使用領域と判別可能な信号を記録するようにする。その記録パワー学習で求めた最適な記録パワーを設定した後（ステップ１２０４）、学習未使用領域に隣接する記録パワー学習で記録した１セクタの領域に対し、ＲＦ振幅検出が可能な信号が記録された領域の大きさを測定する（ステップ１２０５）。その領域の大きさ（図１１におけるＡ）が十分に大きい場合、すなわち、ＲＦ振幅検出可能な場合、（ステップ１２０６の判定において「Ｙｅｓ」）、境界領域を記録しない。一方で、その領域の大きさ（図１１におけるＡ）が十分に大きくない場合（ステップ１２０６の判定において「Ｎｏ」）、記録パワー学習で使用した領域の次の１セクタを境界領域としてＲＦ振幅による学習未使用領域と判別可能な信号を記録する。
【０１８０】
このように、記録パワー学習でＲＦ振幅による学習未使用領域と判別可能な信号を記録し、その領域に対してＲＦ振幅検出が可能な領域の大きさを測定し、十分大きいのであれば境界領域を記録しないようにすることにより、１度の記録パワー学習における消費セクタ数を減少させることが可能になり、その結果、学習領域で実行可能な記録パワー学習の回数を増やすことが可能になる。
【０１８１】
なお、ステップ１２０６において、ＲＦ振幅を検出することが可能な信号が記録された領域（図１１に示されるＡ）が４フレーム以上であれば、ＲＦ振幅検出処理部によって判別可能であるので、判別情報を境界領域に記録しなくてもよい。
【０１８２】
なお、上記では、境界領域は１セクタより構成されるとしたが、実施の形態６はこの限りではない。たとえば、境界領域は複数のセクタより構成されてもよいし、または、ＲＦ振幅検出処理部に判別可能な４フレームで構成されてもよい。
【０１８３】
なお、上記では、フレーム単位で記録パワーを変化させる記録パワー学習を説明したが、実施の形態６はこれに限定されない。たとえば、記録パワー条件情報はセクタ単位でパワーを変化させ、ＲＦ振幅検出が可能な領域の大きさの測定を学習未使用領域に隣接する記録パワー学習で記録した領域に対して行うようにしてもよい。
【０１８４】
なお、実施の形態６において、判別情報として機能する記録パワー条件情報、または、境界領域に記録する判別情報は、単一周期のデータでもよいし、６Ｔ〜１４Ｔのマークとスペースの組み合わせた特定パターンでもよい。判別情報として機能する記録パワー条件情報、または、境界領域に記録する判別情報から再生される信号は、ランダム関数から発生させたランダムデータを８−１６変調した信号でもよいし、ＨＦ信号振幅の規格であるＩ１４／Ｉ１４Ｈ≧０．６の関係を満たす信号でもよい。
【０１８５】
なお、図１１は、記録パワー学習により学習領域の外周側から記録される例を示しているが、実施の形態６はそれに限定されない。たとえば、学習領域の内周側より記録パワー学習を行うようにしてもよい。
【０１８６】
なお、上記では、記録条件学習の一例として記録パワー学習を説明したが、実施の形態６は記録パワー学習に限定されない。たとえば、記録パルス条件を求める記録パルス学習に適用してもよい。
【図面の簡単な説明】
【０１８７】
【図１】本発明の実施の形態１における、学習領域の構成と各セクタを記録する際の記録パワーの変化を示す図
【図２】セクタを構成するフレームの構成図
【図３】フレーム内のマークを説明するための図
【図４】再生信号波形の概略図
【図５】本発明の実施の形態２における、ディスク記録再生ドライブの構成図
【図６】本発明の実施の形態２における、記録パワー学習の手順を示すフローチャート
【図７Ａ】本発明の実施形態３における学習使用済領域と学習未使用領域との境界を検出するフローチャート
【図７Ｂ】本発明の実施の形態３における学習領域の構成と、再生信号の振幅の変化を示す図
【図８】本発明の実施の形態４における、学習領域の構成と各セクタを記録する際の記録パワーの変化を示す図
【図９Ａ】本発明の実施の形態４における、記録パワー学習の手順を示すフローチャート
【図９Ｂ】本発明の実施の形態４の変形例における、記録パワー学習の手順を示すフローチャート
【図１０】本発明の実施の形態５における、記録パワー学習の手順を示すフローチャート
【図１１】本発明の実施の形態６における、学習領域の構成と各セクタを記録する際の記録パワーの変化と記録した信号を再生した際の再生信号振幅を示す図
【図１２】本発明の実施の形態６における、記録パワー学習の手順を示すフローチャート
【図１３】従来例における、一般的な情報記録媒体の構成図
【図１４】従来例における、記録情報領域の構成図
【図１５】従来例における、ＥＣＣブロック、及び、セクタの構成図
【図１６】従来例における、学習領域の構成と各セクタを記録する際の記録パワーの変化を示す図
【図１７】従来例における、ＣＤ−ＷＯの学習領域の構成図
【符号の説明】
【０１８８】
１０１  学習未使用領域
１０２  境界領域
１０３  学習使用済領域
１０４  学習領域（ＰＣＡ）
５００  ディスク記録再生ドライブ
５１０  命令処理部
５２０  記録制御部
５３０  再生制御部
５４０  ディスク情報格納バッファ
５５０  データバッファ
５６０  記録学習情報処理部
５６１  ＲＦ振幅検出処理部
５６２  記録パワー学習処理部
５７０  Ｉ／Ｏバス
【図１】
2007073185.tif 000003
【図２】
2007073185.tif 000004
【図３】
2007073185.tif 000005
【図４】
2007073185.tif 000006
【図５】
2007073185.tif 000007
【図６】
2007073185.tif 000008
【図７Ａ】
2007073185.tif 000009
【図７Ｂ】
2007073185.tif 000010
【図８】
2007073185.tif 000011
【図９Ａ】
2007073185.tif 000012
【図９Ｂ】
2007073185.tif 000013
【図１０】
2007073185.tif 000014
【図１１】
2007073185.tif 000015
【図１２】
2007073185.tif 000016
【図１３】
2007073185.tif 000017
【図１４】
2007073185.tif 000018
【図１５】
2007073185.tif 000019
【図１６】
2007073185.tif 000020
【図１７】
2007073185.tif 000021